(57)【要約】【課題】排気筒を取り付けるアダプタを奥行き方向にはみ出さずに燃焼装置の上側に固定可能とする。【解決手段】バーナを内蔵して成る内部ユニット１０をケース４０に挿入収容する。バーナ燃焼の排気ガスの排気口７，８を、ケース４０の上面壁３と内部ユニット１０の上面２に設け、該上面２に、排気口８を囲む排気シールパッキン９をパッキン位置規制部材１１により位置規制して配設する。ケース４０の上面壁３からシール部１２を下側に突出させ、排気シールパッキン９をシール部１２で上側から押圧して圧縮しながら内部ユニット１０を挿入移動させる。内部ユニット１０の移動時に排気シールパッキン９の先端側が上側にめくり上がることをパッキン押さえ部材１３により防止し、排気口７，８を位置合わせして、排気口７，８の周辺でシール部１２により排気シールパッキン９を圧縮して内部ユニット１０をケース４０内に気密状態で固定する。【選択図】図１
2008309358.tif 000002
【特許請求の範囲】
【請求項１】
バーナと該バーナによって加熱される熱交換器とを筐体内に内蔵して成る内部ユニットが、ケースの一端面側に形成されたユニット挿入口側から前記ケースの奥端面側に向けて挿入されて前記ケース内に収容されており、前記内部ユニットの挿入先端寄りの筐体上面には前記バーナの燃焼により発生する排気ガスの排気口が形成され、前記筐体の上面側に排気シールパッキンの配置位置を規制するパッキン位置規制部材が設けられていて、該パッキン位置規制部材により位置が規制されて前記排気口を囲む態様で前記筐体上面の上側に排気シールパッキンが設けられており、前記ケースの上面壁には前記筐体の排気口に対向する排気口が形成されて、該排気口を囲むケース上面壁には下側に突出して前記排気シールパッキンを押圧するシール部が設けられており、前記内部ユニットの挿入時に前記排気シールパッキンが前記ケースのシール部により上側から押されて圧縮されながら前記内部ユニットが挿入方向に移動することによって前記排気シールパッキンの前記内部ユニット挿入先端側が上側にめくり上がることを防止するパッキン押さえ部材が前記筐体側に固定されて設けられており、前記ケースの排気口と前記内部ユニットの排気口とが一致する位置にて前記内部ユニットと前記ケースとが位置合わせされ、前記排気口の周辺領域で前記ケースのシール部により前記排気シールパッキンが圧縮されて前記内部ユニットが前記ケース内に気密状態で着脱自在に固定されていることを特徴とする燃焼装置。
【請求項２】
請求項１記載の燃焼装置が浴室壁に形成された壁穴に挿入され、前記燃焼装置の壁穴挿入の後端面側は浴室内に露出しており、前記燃焼装置のケースの排気口側には該排気口から排気される排気ガスの排気筒がアダプタを介して取り付けられ、該アダプタは前記燃焼装置の壁穴挿入の先端面からはみ出さない態様で前記燃焼装置に気密状態で取り付けられていることを特徴とする燃焼装置の配置構造。
【発明の詳細な説明】
【技術分野】
【０００１】
本発明は、例えば排気ガスの排気口にアダプタを介して排気筒を接続して用いられる燃焼装置およびその配置構造に関するものである。
【背景技術】
【０００２】
集合住宅等において、図７、図８に示すように、浴室３０の壁３１に形成された壁穴２２に給湯器１７等の燃焼装置を挿入して配置し、共用廊下３５側に面した給気室（チャンバー室）３６に給湯器１７の給排気部を設けることが行われている。このような給湯器１７の配置構造において、給湯器１７のケース４０の上側には、排気口８から排気される排気ガスの排気筒３８がアダプタ３９を介して取り付けられている。また、給湯器１７の壁穴挿入の後端面３７側は浴室３０内に露出しており、フロントパネル２１も浴室３０内に露出している（例えば、特許文献１、参照）。
【０００３】
アダプタ３９は、図７〜図９の各図に示すように、給湯器１７の壁穴挿入の先端面４１よりも先方側（図７、図９では左側）に、はみ出して設けられており、アダプタ３９は、そのはみ出し部位が排気ジョイント４２にねじ止めされている。この排気ジョイント４２が給湯器１７の先端面４１にねじ止めにより固定され、それにより、アダプタ３９が給湯器１７に固定されている。
【０００４】
また、給湯器１７は、図９に示すように、ケース４０内に内部ユニット１０を収容して形成されており、内部ユニット１０は、ケース４０の一端面側に形成されたユニット挿入口２４側からケース４０の奥端面２７側に向けて、図の矢印Ａに示す方向に挿入されて、ケース４０内に収容されている。内部ユニット１０の挿入先端面２８には、内部ユニット１０の筐体２３内に内蔵されているバーナ（同図には図示せず）の燃焼により発生する排気ガスの排気口８が形成され、この排気口８に対向する排気口７がケース４０に形成されている。
【０００５】
また、内部ユニット１０の挿入先端面２８には、排気口８の形成領域を囲む態様で排気シールパッキン９が設けられており、内部ユニット１０を矢印Ａの方向に挿入することで、排気シールパッキン９がケース４０と内部ユニット１０とに挟まれて圧縮され、内部ユニット１０がケース４０内に気密状態で着脱自在に固定されている。この給湯器１７は、メンテナンスが必要なときには、内部ユニット１０を前記矢印Ａと反対の方向に移動させてケース４０から引き出し、メンテナンスを行うことができ、メンテナンス終了後には、再び、内部ユニット１０を矢印Ａ方向に挿入してケース４０内に気密状態で固定することができる。
【０００６】
例えば図１０に示すように、前記内部ユニット１０の筐体２３内には、バーナ１と該バーナ１によって加熱される熱交換器（ここでは、メインの熱交換器４と潜熱回収用熱交換器６）とが内蔵されている。メインの熱交換器４は、燃焼ガス中の顕熱を回収する熱交換器であり、このメインの熱交換器４よりも燃焼ガスの流れの下流側に、前記潜熱回収用熱交換器６が設けられている。潜熱回収用熱交換器６は、燃焼ガスの顕熱および潜熱を回収する熱交換器であり、潜熱回収用熱交換器６の下側には、潜熱回収用熱交換器６で発生するドレンの受け皿４３と、このドレンを給湯器１７の外部に排出するドレン排出手段（図示せず）とが設けられている。また、給湯器１７には、バーナ１の燃焼の給排気を行なう燃焼ファン５が設けられており、バーナ１には、バーナ１に燃料を供給するガス管（図示せず）が接続されている。
【０００７】
給湯器１７は、燃焼ファン５の回転によって外部より吸気する空気を、図の矢印に示すように、送風室２５を介してバーナ１に送り、この空気と、前記ガス管を通って供給されるガスとによってバーナ燃焼を行う。このバーナ燃焼により生じた燃焼ガスは、燃焼ファン５の回転によって、燃焼室２０から前記排気口８側に送られ、排気口７から排気される。そして、この排気は、図８の矢印に示すように、アダプタ３９を介して排気筒を通り、給気室３６から共用廊下３５側に排気される。
【０００８】
また、前記バーナ１の燃焼時に、水供給源からの水が潜熱回収用熱交換器６に導かれると、この水が、潜熱回収用熱交換器６とメインの熱交換器４を順に通って加熱され、メインの熱交換器４の出口側に接続された給湯管（図示せず）を通して浴室３０内のシャワーの出湯口や台所等に導かれて給湯される。また、給湯管に浴槽２６への注湯通路を接続することにより、浴槽２６への自動湯張りが可能となり、追い焚き回路を設けることにより、浴槽湯水の追い焚きも可能となる。
【０００９】
【特許文献１】実公平１−４１０００号公報
【発明の開示】
【発明が解決しようとする課題】
【００１０】
ところで、図７〜図１０に示した給湯器１７においては、アダプタ３９が、給湯器１７の壁穴挿入の先端面４１よりも先方側にはみ出して取り付けられることになるため、給気室３６の奥行き寸法（例えば図７のＤ）が小さい場合には、図７〜図９に示したような、給湯器１７とアダプタ３９とを給気室３６内に設ける配置構造を設けることができないことになる。そのため、従来の給湯器１７を適用するためには、住宅設計において、給気室３６の奥行き寸法を小さくして省スペース化を図ることが難しかった。
【００１１】
本発明は、上記課題を解決するために成されたものであり、その目的は、給気室の奥行き寸法が小さめであっても、燃焼装置の奥行き寸法程度の奥行きがあれば給気室内に配置することができる燃焼装置およびその配置構造を提供することにある。
【課題を解決するための手段】
【００１２】
上記目的を達成するために、本発明は次のような構成をもって課題を解決するための手段としている。すなわち、第１の発明の燃焼装置は、バーナと該バーナによって加熱される熱交換器とを筐体内に内蔵して成る内部ユニットが、ケースの一端面側に形成されたユニット挿入口側から前記ケースの奥端面側に向けて挿入されて前記ケース内に収容されており、前記内部ユニットの挿入先端寄りの筐体上面には前記バーナの燃焼により発生する排気ガスの排気口が形成され、前記筐体の上面側に排気シールパッキンの配置位置を規制するパッキン位置規制部材が設けられていて、該パッキン位置規制部材により位置が規制されて前記排気口を囲む態様で前記筐体上面の上側に排気シールパッキンが設けられており、前記ケースの上面壁には前記筐体の排気口に対向する排気口が形成されて、該排気口を囲むケース上面壁には下側に突出して前記排気シールパッキンを押圧するシール部が設けられており、前記内部ユニットの挿入時に前記排気シールパッキンが前記ケースのシール部により上側から押されて圧縮されながら前記内部ユニットが挿入方向に移動することによって前記排気シールパッキンの前記内部ユニット挿入先端側が上側にめくり上がることを防止するパッキン押さえ部材が前記筐体側に固定されて設けられており、前記ケースの排気口と前記内部ユニットの排気口とが一致する位置にて前記内部ユニットと前記ケースとが位置合わせされ、前記排気口の周辺領域で前記ケースのシール部により前記排気シールパッキンが圧縮されて前記内部ユニットが前記ケース内に気密状態で着脱自在に固定されている構成をもって課題を解決する手段としている。
【００１３】
また、第２の発明の燃焼装置の配置構造は、前記第１の発明の燃焼装置が浴室壁に形成された壁穴に挿入され、前記燃焼装置の壁穴挿入の後端面側は浴室内に露出しており、前記燃焼装置のケースの排気口側には該排気口から排気される排気ガスの排気筒がアダプタを介して取り付けられ、該アダプタは前記燃焼装置の壁穴挿入の先端面からはみ出さない態様で前記燃焼装置に気密状態で取り付けられていることを特徴とする。
【発明の効果】
【００１４】
本発明によれば、バーナと該バーナによって加熱される熱交換器とを筐体内に内蔵して成る内部ユニットが、ケースの一端面側に形成されたユニット挿入口側から前記ケースの奥端面側に向けて挿入されて前記ケース内に収容されているが、バーナの排気ガスの排気口は、内部ユニットの挿入先端寄りの筐体上面に形成され、この排気口と対向する排気口が前記ケースの上面壁に設けられている。そのため、燃焼装置を排気筒と接続する場合に、従来例のように燃焼装置の先端面側に排気口を設ける場合と異なり、接続用のアダプタを、ケースの排気口に対応させてケースの上面に配置すればよいので、アダプタを燃焼装置の奥行き方向にはみ出して取り付ける必要はなく、給気室の奥行き寸法が燃焼装置の奥行き寸法程度あれば、燃焼装置を給気室内に配置することができる。
【００１５】
また、本発明の燃焼装置は、ケースと内部ユニットの排気口を共に上側に設けているが、その特徴的な排気シール構成により、内部ユニットをケース内に気密状態で着脱自在に固定することができる。つまり、内部ユニットの筐体の上面側には、前記排気口を囲む態様で前記筐体上面の上側に排気シールパッキンが設けられており、前記ケースの排気口を囲むケース上面壁には、下側に突出して前記排気シールパッキンを押圧するシール部が設けられているので、該シール部により前記排気シールパッキンが圧縮されながら、内部ユニットが挿入方向に移動する。
【００１６】
このとき、排気シールパッキンには、シール部による押圧力と共に、内部ユニットの挿入移動による挿入方向の力が加えられることになるが、本発明では、排気シールパッキンの配置位置を規制するパッキン位置規制部材が設けられているので、前記排気シールパッキンは、パッキン位置規制部材により位置が規制されることとなり、前記押圧力および前記挿入方向の力によって排気シールパッキンが挿入方向に移動して配置位置がずれるといったことが抑制できる。
【００１７】
また、本発明では、内部ユニットの挿入時に排気シールパッキンが前記ケースのシール部により上側から押されて圧縮されながら前記内部ユニットが挿入方向に移動することによって、前記排気シールパッキンの前記内部ユニット挿入先端側が上側にめくり上がる方向にも力が加えられることになるが、このような排気シールパッキンのめくり上がりを防止するパッキン押さえ部材が、前記筐体側に固定されて設けられているので、排気シールパッキンのめくり上がりは防止できる。
【００１８】
そして、内部ユニットのケース内への挿入によって、該ケースの排気口と前記内部ユニットの排気口とが一致する位置にて、前記内部ユニットと前記ケースとが位置合わせされると、前記排気口の周辺領域で前記ケースのシール部により前記排気シールパッキンを圧縮した状態で、前記内部ユニットを前記ケース内に気密状態で着脱自在に固定することができる。
【００１９】
また、本発明の燃焼装置の配置構造によれば、本発明の燃焼装置を適用して浴室壁の壁穴に挿入し、排気ガスの排気筒を燃焼装置にアダプタを介して取り付けることにより、アダプタを燃焼装置の壁穴挿入の先端面からはみ出さない態様で前記燃焼装置に気密状態で取り付けることができるので、給気室の奥行き寸法が燃焼装置の奥行き寸法程度あれば、燃焼装置を給気室内に配置することができる。
【発明を実施するための最良の形態】
【００２０】
以下、本発明の実施の形態を、図面を参照して説明する。なお、本実施形態例の説明において、これまでの説明に示した例と同一名称部分には同一符号を付し、その重複説明は省略又は簡略化する。
【００２１】
図２には、本実施形態例の燃焼装置の一実施形態例である給湯器１７の側面図が、アダプタ３９と共に示されている。同図に示すように、本実施形態例は、従来例と同様に、内部ユニット１０をケース４０のユニット挿入口２４側からケース４０の奥面２７側に向けて矢印Ａ方向に挿入し、ケース４０内に収容して形成されている。
【００２２】
また、図１には、本実施形態例の給湯器１７において特徴的な排気シール構成が模式的な断面図により示されており、図１および図２に示すように、本実施形態例の特徴的な構成は、ケース４０と内部ユニット１０の排気口７，８を共に上側に設け、かつ、以下に示すような特徴的な排気シール構成を設けて、内部ユニット１０をケース４０内に気密状態で着脱自在に固定することができることである。
【００２３】
つまり、本実施形態例では、内部ユニット１０の排気口８は、内部ユニット１０の筐体２３の上面２における内部ユニット１０の挿入先端寄り（図１、図２では、左端寄り）に形成されており、この筐体２３の排気口８に対向する排気口７が、ケース４０の上面壁３に形成されている。
【００２４】
また、筐体２３の上面２側には、排気シールパッキン９の配置位置を規制するパッキン位置規制部材１１が設けられており、該パッキン位置規制部材１１は、筐体２３の上面２に沿って設けた金属製の底板部１８と、この底板部１８から上側に切り起こした金属製の切り起こし板部１９とを有して形成されている。また、パッキン位置規制部材１１により位置が規制されて、筐体２３の上面の上側に排気シールパッキン９が設けられており、排気シールパッキン９は、図３に示すように、排気口８を囲む態様で設けられている。そして、この排気シールパッキン９を押圧するシール部１２が、前記ケース４０の排気口７を囲むケース上面壁３に、下側に突出して設けられている。
【００２５】
また、前記内部ユニット１０には、排気シールパッキン９の先端側にパッキン押さえ部材１３が設けられ、該パッキン押さえ部材１３は、パッキン位置規制部材１１の底板部１８を介して前記筐体２３側に固定されて設けられている。つまり、本実施形態例において、パッキン押さえ部材１３は、先端を斜めに曲げた排気シールパッキン９の先端部上側に設けられ、ビス４３によりパッキン位置規制部材１１の底板部１８に固定されている。パッキン押さえ部材１３は、内部ユニット１０の挿入時に排気シールパッキン９が前記ケース４０のシール部１２により上側から押されて圧縮されながら、内部ユニット１０が挿入方向に移動することによって、排気シールパッキン９の内部ユニット挿入先端側が上側にめくり上がることを防止するものである。
【００２６】
そして、給湯器１７は、ケース４０の排気口７と内部ユニット１０の排気口８とが一致する位置にて、内部ユニット１０とケース４０とが位置合わせされ、排気口７，８の周辺領域で、ケース４０のシール部１２により排気シールパッキン９が圧縮されて、内部ユニット１０がケース４０内に気密状態で着脱自在に固定されている。
【００２７】
本実施形態例は以上のように構成されており、給湯器１７の製造時には、内部ユニット１０が、ケース４０のユニット挿入口側２４からケース４０の奥端面２７側に向けて挿入され、ケース４０内に収容される。また、メンテナンス時に内部ユニット１０をケース４０から取り出した後にも、同様に、内部ユニット１０のケース４０内への挿入が行われる。
【００２８】
そして、この挿入時に、排気シールパッキン９がケース４０のシール部１２により上側から押されて圧縮されながら内部ユニット１０が挿入方向に移動することによって、排気シールパッキン９にシール部１２からの押圧力と内部ユニット１０の移動方向の力が加えられ、内部ユニット挿入先端側が上側にめくり上がる方向にも力が加えられることになるが、排気シールパッキン９の位置ずれはパッキン位置規制部材１１により位置規制され、かつ、排気シールパッキン９のめくり上がりはパッキン押さえ部材１３により防止されるので、内部ユニット１０は、排気シールパッキン９の位置ずれやめくり上がりを生じさせずに、ケース４０内に適切に挿入される。
【００２９】
そして、内部ユニット１０の排気口８とケース４０の排気口７とが一致する位置にて、内部ユニット１０とケース４０とが位置合わせされると、排気口７，８の周辺領域でケース４０のシール部１２により排気シールパッキン９を圧縮した状態で、内部ユニット１０をケース４０内に気密状態で着脱自在に固定することができる。
【００３０】
また、図４に示すように、給湯器１７のケース４０のシール部１２上に、アダプタ３９がパッキン１５を介して気密状態で取り付けられ、アダプタ３９は、ねじ１６等により給湯器１７のケース４０の上面壁３に固定される。そして、給湯器１７の配置は、従来例と同様に、例えば図５に示すように、浴室３０の壁３１に形成された壁穴２２に挿入配置されて行われ、図６に示すように、バーナ１の排気ガスが給湯器１７の上側から排気される。そして、図５に示したように、給湯器１７の壁穴挿入の後端面３７側は浴室３０内に露出し、給湯器１７のケース４０の排気口７側には、該排気口７から排気される排気ガスの排気筒３８がアダプタ３９を介して取り付けられるが、アダプタ３９は、給湯器１７の壁穴挿入の先端面４１からはみ出さない態様となる。
【００３１】
したがって、本実施形態例では、図５に示す給気室の奥行き寸法Ｄが、この図に示す大きさよりも小さくても、給湯器１７の奥行き寸法程度あれば、給湯器１７を給気室内に配置することができる。そのため、例えば、今後、建設される集合住宅に適用する場合には、給気室３６の奥行きを狭くすることができ、共用廊下３５等のスペースを広げてスペースの有効利用を行うことができる。
【００３２】
なお、本発明は前記実施形態例に限定されることはなく、様々な態様を採り得る。例えば、前記実施形態例では、パッキン位置規制部材１１は、底板部１８と切り起こし板部１９を有する構成としたが、パッキン位置規制部材１１の構成は特に限定されるものでなく、適宜設定されるものであり、例えば排気シールパッキン９がシール部１２により押圧されて圧縮することを妨げない態様で、排気シールパッキン９の内部に金属板や金属線等を通して位置規制してもよい。
【００３３】
また、燃焼装置として給湯器１７を例に挙げたが、本発明を適用する燃焼装置は、風呂釜や、給湯器と風呂釜の両方の機能を備えた複合給湯器等、適宜の燃焼装置を適用することができ、また、熱交換器は、潜熱回収用熱交換器を有していても有していなくてもよく、さらに、燃焼方式も石油燃焼式でもよい。
【図面の簡単な説明】
【００３４】
【図１】本発明に係る燃焼装置の一実施形態例における排気シール構成を模式的に示す説明図である。
【図２】前記実施形態例の燃焼装置をアダプタと共に示す側面図である。
【図３】前記実施形態例に適用されている内部ユニットのケースへの挿入先端側の構成を示す斜視図である。
【図４】前記実施形態例の燃焼装置へのアダプタの取り付け構造を模式的に示す断面図である。
【図５】本発明に係る燃焼装置の配置構造の一実施形態例を示す模式的な断面図である。
【図６】図５に示す配置構造で配置された燃焼装置の動作を示す模式図である。
【図７】従来の燃焼装置の配置構造の一例を示す模式的な断面図である。
【図８】従来の燃焼装置の配置構造の一例を示す模式的な斜視図である。
【図９】従来例の燃焼装置をアダプタと共に示す側面図である。
【図１０】図７に示す配置構造で配置された燃焼装置の動作を示す模式図である。
【符号の説明】
【００３５】
１  バーナ
２  上面
３  上面壁
４  メインの熱交換器
５  燃焼ファン
６  潜熱回収用熱交換器
７，８  排気口
９  排気シールパッキン
１０  内部ユニット
１１  パッキン位置規制部材
１２  シール部
１３  パッキン押さえ部材
１５  パッキン
１７  給湯器
１８  底板部
１９  切り起こし板部
２２  壁穴
２３  筐体
２４  ユニット挿入口
３０  浴室
３９  アダプタ
４０  ケース
【図１】
2008309358.tif 000003
【図２】
2008309358.tif 000004
【図３】
2008309358.tif 000005
【図４】
2008309358.tif 000006
【図５】
2008309358.tif 000007
【図６】
2008309358.tif 000008
【図７】
2008309358.tif 000009
【図８】
2008309358.tif 000010
【図９】
2008309358.tif 000011
【図１０】
2008309358.tif 000012